(57)【要約】【課題】機器本体の正面側の外装が金属製の電子機器であっても、外観性を低下させることなく、複数の無線通信アンテナを内蔵することが可能な仕組みを提供する。【解決手段】電子機器は、機器本体の正面側の外装を形成する金属製のフロントカバー５と、機器本体の背面側の外装を形成する金属製のリアカバー６と、機器本体の底面に配置される第１の無線通信アンテナ１２と、機器本体の一方の側面に配置される第２の無線通信アンテナ１５と、を備える。第１の無線通信アンテナ１２を覆う部分の機器本体の底面の外装９、及び第２の無線通信アンテナ１５を覆う部分の機器本体の一方の側面の外装１９は、いずれも樹脂材料で形成されている。【選択図】図２
2016046628.tif 000002
【特許請求の範囲】
【請求項１】
機器本体の正面側の外装を形成する金属製のフロントカバーと、前記機器本体の背面側の外装を形成する金属製のリアカバーと、前記機器本体の底面に配置される第１の無線通信アンテナと、前記機器本体の一方の側面に配置される第２の無線通信アンテナと、を備え、
前記第１の無線通信アンテナを覆う部分の前記機器本体の底面の外装、及び前記第２の無線通信アンテナを覆う部分の前記機器本体の一方の側面の外装は、いずれも樹脂材料で形成されていることを特徴とする電子機器。
【請求項２】
前記機器本体の底面の外装と前記機器本体の一方の側面の外装との間に形成される稜線部の外装は、前記フロントカバー、及び前記リアカバーからそれぞれ延設された金属製の腕部により形成されることを特徴とする請求項１に記載の電子機器。
【請求項３】
前記第１の無線通信アンテナのアンテナパターンが配線される回路基板と、
前記回路基板に接続されるシステム回路基板とを有し、
前記回路基板には、前記第２の無線通信アンテナを搭載する無線通信ユニットに接続されて、前記第２の無線通信アンテナの信号を前記システム回路基板へ中継する中継パターンが配線され、
前記アンテナパターンと前記中継パターンとは、互いに離間して配線されていることを特徴とする請求項１又は２に記載の電子機器。
【発明の詳細な説明】
【技術分野】
【０００１】
本発明は、例えばデジタルカメラ等の電子機器に関し、特に複数の無線通信アンテナが搭載された電子機器に関する。
【背景技術】
【０００２】
デジタルカメラ等の電子機器では、スマートフォンとＷｉＦｉで接続し、リモート撮影や撮影画像を転送する機能を搭載したものがある。デジタルカメラとスマートフォンをＷｉＦｉで接続するためには煩雑な設定が必要であるが、デジタルカメラとスマートフォン双方にＮＦＣを搭載し、双方のＮＦＣのアンテナを近接することで、ユーザはＷｉＦｉの接続設定を簡易に行うことができる。
【０００３】
ＷｉＦｉとＮＦＣの２つの無線モジュールを内蔵したデジタルカメラとして、通信相手機器との間でデータの送受信を行うためのアンテナを液晶表示面の反対側に配置した技術が提案されている（特許文献１）。この提案では、通信相手機器にアンテナを向けた際に、液晶表示面がユーザの見やすい位置に配置されるため操作性が向上するとしている。
【先行技術文献】
【特許文献】
【０００４】
【特許文献１】特開２０１１−９１５０３号公報
【発明の概要】
【発明が解決しようとする課題】
【０００５】
ところで、カメラの外装は、静電気対策等により、通常アルミニウムやステンレスなどの金属材料で形成される。
【０００６】
しかし、上記特許文献１では、アンテナを覆うカメラのフロント外装がアルミニウムやステンレスなどの金属材料で形成されていると、フロント外装のアンテナを覆う部分に穴を開けて電波を通す樹脂等を配置する必要があり、外観性が低下する問題がある。
【０００７】
そこで、本発明は、機器本体の正面側の外装が金属製の電子機器であっても、外観性を低下させることなく、複数の無線通信アンテナを内蔵することが可能な仕組みを提供することを目的とする。
【課題を解決するための手段】
【０００８】
上記目的を達成するために、本発明の電子機器は、機器本体の正面側の外装を形成する金属製のフロントカバーと、前記機器本体の背面側の外装を形成する金属製のリアカバーと、前記機器本体の底面に配置される第１の無線通信アンテナと、前記機器本体の一方の側面に配置される第２の無線通信アンテナと、を備え、前記第１の無線通信アンテナを覆う部分の前記機器本体の底面の外装、及び前記第２の無線通信アンテナを覆う部分の前記機器本体の一方の側面の外装は、いずれも樹脂材料で形成されていることを特徴とする。
【発明の効果】
【０００９】
本発明によれば、機器本体の正面側の外装が金属製の電子機器であっても、外観性を低下させることなく、複数の無線通信アンテナを内蔵することが可能となる。
【図面の簡単な説明】
【００１０】
【図１】本発明の電子機器の実施形態の一例であるデジタルカメラを底面側から見た背面斜視図である。
【図２】図１に示すデジタルカメラから表示パネル及びレンズ鏡筒を取り外した状態の部分分解斜視図である。
【図３】（ａ）はアンテナＦＰＣのアンテナパターンの表面側のループパターンを示す図、（ｂ）はアンテナＦＰＣのアンテナパターンの裏面側のループパターンを示す図である。
【発明を実施するための形態】
【００１１】
以下、図面を参照して、本発明の実施形態の一例を説明する。
【００１２】
図１は、本発明の電子機器の実施形態の一例であるデジタルカメラを底面側から見た背面斜視図である。
【００１３】
本実施形態のデジタルカメラは、図１に示すように、カメラ本体１の背面に、ＬＣＤ等の表示パネル２が設けられ、表示パネル２の側方には、各種操作ボタン３が設けられている。カメラ本体１の正面側には、レンズ鏡筒４が設けられ、レンズ鏡筒４の撮影光学系を通過した被写体像は不図示の撮像素子に結像して光電変換され、不図示のシステム回路を経て表示パネル２に表示される。カメラ本体１は、本発明の機器本体の一例に相当する。
【００１４】
カメラ本体１の正面側の外装は、アルミニウム等の金属製のフロントカバー５により形成され、カメラ本体１の背面側の外装は、同様に、アルミニウム等の金属製のリアカバー６により形成される。
【００１５】
カメラ本体１の底面には、カメラ本体１を三脚に固定するときに用いる三脚ねじ座７や電池をカメラ本体１に出し入れするときに開閉する電池蓋８が設けられている。三脚ねじ座７は、光軸上に配置することでカメラのバンニング操作をスムースに行えるため、カメラ本体１の底面の略中央に配置される。
【００１６】
カメラ本体１の底面には、フロントカバー５とリアカバー６との合わせ部が配置され、フロントカバー５及びリアカバー６にそれぞれ形成された凹形状部５ａ，６ａにより通信用開口部が形成され、通信用開口部には、樹脂製の通信用窓部９が設けられている。
【００１７】
カメラ本体１の底面の外装とカメラ本体１の通信用窓部９に近い側の一方の側面の外装との間に形成される稜線部の外装は、フロントカバー５及びリアカバー６からそれぞれ延設された腕部５ｂ，６ｂにより形成される。
【００１８】
図２は、図１に示すデジタルカメラから表示パネル２及びレンズ鏡筒４を取り外した状態の部分分解斜視図である。
【００１９】
図２に示すように、フロントカバー５の内側には、通信用窓部９を有するインナーカバー１０が配置され、通信用窓部９は、前述したように、通信用開口部に配置されてカメラ本体１の底面の外装の一部を形成する。
【００２０】
また、カメラ本体１の内部には、マグネシウム等の射出成形品であるシャーシ１１が設けられ、シャーシ１１には、近距離通信を行うためのアンテナパターン１２を有するアンテナＦＰＣ１３が設けられている。アンテナパターン１２は、銅箔でループ状に形成され、アンテナＦＰＣ１３の両面に配置される。本実施形態では、アンテナＦＰＣ１３は、無線通信の規格のＮＦＣを採用している。アンテナパターン１２は、本発明の第１の無線通信アンテナの一例に相当する。
【００２１】
カメラ本体１の前述した腕部５ｂ，６ｂ側の側面には、ＷｉＦｉユニット１４が搭載されている。ＷｉＦｉユニット１４の回路基板には、ＷｉＦｉアンテナのチップアンテナ１５、ＷｉＦｉ制御ＩＣ１６、及びＦＰＣコネクタ１７等が実装されている。ＦＰＣコネクタ１７には、アンテナＦＰＣ１３のコネクタ挿入部１８が接続されている。
【００２２】
ＷｉＦｉユニット１４は、カメラ本体１の左側面の外装を形成する樹脂製の左サイドカバー１９によりチップアンテナ１５とともに覆われる。チップアンテナ１５は、本発明の第２の無線通信アンテナの一例に相当し、ＷｉＦｉユニット１４は、本発明の無線通信ユニットの一例に相当する。
【００２３】
ここで、アンテナＦＰＣ１３のアンテナパターン１２は、樹脂材料からなる通信用窓部９で覆われ、ＷｉＦｉユニット１４のチップアンテナ１５も、樹脂材料からなる左サイドカバー１９で覆われる。このため、いずれのアンテナ１２，１５も通信を阻害する金属体で覆われることなく、優れた通信性能を確保することができる。なお、本実施形態では、組立性を優先して通信用窓部９を有するインナーカバー１０と左サイドカバー１９とを別体としたが、一体とすることで部品点数を削減しコストダウンを図ることもできる。
【００２４】
図３（ａ）はアンテナＦＰＣ１３のアンテナパターン１２の表面側のループパターン１２ａを示す図、図３（ｂ）はアンテナＦＰＣ１３のアンテナパターン１２の裏面側のループパターン１２ｂを示す図である。なお、図３では、アンテナＦＰＣ１３とシステム回路基板やＷｉＦｉユニット１４の回路基板との接続状態が分かるようにアンテナＦＰＣ１３を平面状に展開して図示している。また、アンテナＦＰＣ１３と通信用窓部９との位置関係も図示している。
【００２５】
図３（ａ）及び図３（ｂ）に示すように、アンテナＦＰＣ１３のアンテナパターン１２は、シャーシ１１に対向する面に設けられる裏面側のループパターン１２ａと、通信用窓部９の対向する面に設けられる表面側のループパターン１２ｂとを有する。ループパターン１２ａとループパターン１２ｂとは、不図示のスルーホールで接続されている。
【００２６】
アンテナパターン１２は、アンテナＦＰＣ１３の裏面側のループパターン１２ａがコネクタ挿入部２０に配線接続され、ＦＰＣコネクタ２１を介してシステム回路基板に実装された通信用ＩＣに接続されている。アンテナＦＰＣ１３の裏面側には、コネクタ挿入部１８とコネクタ挿入部２０とを結ぶＷｉＦｉ中継パターン２２が形成されている。ＷｉＦｉ中継パターン２２及びＦＰＣコネクタ１７を介してＷｉＦｉユニット１４のＷｉＦｉ制御ＩＣ１６とシステム回路基板とが接続される。
【００２７】
アンテナＦＰＣ１３の表面側、即ち、ループパターン１２ｂの形成面の側には、ベタ面のシールドパターン２３がＷｉＦｉ中継パターン２２の略中央部に位置して形成されている。シールドパターン２３は、ＷｉＦｉ中継パターン２２のグランドパターンに不図示のスルーホールを介して接続されている。
【００２８】
図３（ａ）に示すように、アンテナＦＰＣ１３には、アンテナパターン１２とＷｉＦｉ中継パターン２２とが重なることなく、互いに離間して配線されている。これにより、アンテナＦＰＣ１３内でのＷｉＦｉ信号とＮＦＣ信号との干渉を防ぐことができる。
【００２９】
カメラ本体１の底面の略中央に配置された三脚ねじ座７を挟んで一方の側には電池蓋８が配置され、他方の側にはシャーシ１１と底面外装と間に空間が形成される。この空間に比較的薄いアンテナＦＰＣ１３を配置することで、カメラ本体１内の限られた空間を有効に利用することができる。
【００３０】
また、アンテナＦＰＣ１３が配置されたカメラ本体１の底面に隣接する一方の側面にＷｉＦｉユニット１４を配置することで、ＮＦＣのアンテナパターン１２とＷｉＦｉ中継パターン２２とを一つのＦＰＣで構成し、部品点数を削減することができる。
【００３１】
ＷｉＦｉ信号は、高速で駆動するため不要輻射を発生しやすいが、ＷｉＦｉ中継パターン２２を金属製の腕部５ｂ，６ｂで覆うことで、シールド効果によりカメラ本体１の外部への不要輻射を抑えることができる。
【００３２】
図３（ｂ）に示すように、通信用窓部９には、ＷｉＦｉ中継パターン２２の一部が重なって配置されている。通信用窓部９は、樹脂製であるため、シールド効果がなく、従って、通信用窓部９からＷｉＦｉ中継パターン２２を通るＷｉＦｉ信号の不要輻射が漏れることになる。
【００３３】
しかし、本実施形態では、シールドパターン２３が通信用窓部９とＷｉＦｉ中継パターン２２との間に配置されていることで、ＷｉＦｉ信号の不要輻射に対してシールド効果があり、カメラ本体１の外部への不要輻射を防ぐことができる。
【００３４】
以上説明したように、本実施形態では、カメラ本体１の正面側の外装が金属製のデジタルカメラであっても、外観性を低下させることなく、複数の無線通信のアンテナ１２，１５を内蔵することが可能となる。
【００３５】
また、本実施形態では、カメラがカメラ本体１の稜線部側から落下した場合でも、稜線部の外装を金属製の腕部５ｂ，６ｂで形成しているため、カメラの破損を防止することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１  カメラ本体
５  フロントカバー
５ｂ，６ｂ  腕部
６  リアカバー
９  通信用窓部
１２  アンテナパターン
１３  アンテナＦＰＣ
１４  ＷｉＦｉユニット
１５  チップアンテナ
１９  左サイドカバー
２２  ＷｉＦｉ中継パターン
【図１】
2016046628.tif 000003
【図２】
2016046628.tif 000004
【図３】
2016046628.tif 000005